(57)【要約】  【課題】  外部から受信した印刷データに基づく画像形成を行う場合、画像データとカバーページデータとの組合せを利用者が意識することなく、所望のカバーページを付加した画像を形成することができる画像形成装置を提供する。  【解決手段】  外部から受信した印刷データに含まれるコマンドを解析し、解析したコマンドの内容に応じて印刷データから画像データを生成し、生成した画像データに基づく画像を記録媒体に形成する画像形成装置において、印刷データに、カバーページの登録を指定する登録指定コマンドが含まれている場合、該登録指定コマンドを含む印刷データに基づき生成した画像データをカバーページとして記憶手段に記憶し、登録指定コマンドが含まれていない場合、印刷データに基づき生成した画像データに基づく画像を記録媒体に形成する。ファクシミリ送信時に、カバーページの画像データを記憶手段から読出し送信画像に付加する。【選択図】        図２
2006148812.tif 000002
【特許請求の範囲】
【請求項１】
画像データを記憶する記憶手段を備え、外部から受信した印刷データに含まれるコマンドを解析し、解析したコマンドの内容に応じて前記印刷データから画像データを生成し、生成した画像データに基づく画像を記録媒体に形成する画像形成装置において、
前記印刷データに、送信に関する情報を含むカバーページの登録を指定する登録指定コマンドが含まれているか否かを判断する判断手段と、
該判断手段で、前記登録指定コマンドが含まれていると判断した場合、該登録指定コマンドを含む印刷データに基づき生成した画像データをカバーページとして前記記憶手段に記憶し、前記登録指定コマンドが含まれていないと判断した場合、印刷データに基づき生成した画像データに基づく画像を記録媒体に形成するよう制御する制御手段と、
ファクシミリ送信時に、カバーページの画像データを前記記憶手段から読出し送信画像に付加する付加手段と
を備えることを特徴とする画像形成装置。
【請求項２】
前記印刷データは、印刷ジョブ言語を含むページ記述言語で記述されており、
前記判断手段は、印刷ジョブ言語で記述されたコマンドを解析することにより、前記登録指定コマンドが含まれているか否かを判断するよう構成してあることを特徴とする請求項１記載の画像形成装置。
【請求項３】
前記記憶手段にカバーページの画像データが複数記憶されている場合、前記付加手段により付加するカバーページの画像データの選択を受け付ける選択受付手段を備え、
前記付加手段は、前記選択受付手段で選択されたカバーページの画像データを送信画像に付加するよう構成してあることを特徴とする請求項１又は２記載の画像形成装置。
【請求項４】
画像データを記憶する記憶手段を備え、外部から受信した印刷データに含まれるコマンドを解析し、解析したコマンドの内容に応じて前記印刷データから画像データを生成し、生成した画像データに基づく画像を記録媒体に形成する画像形成装置において、
前記印刷データに、ポーリング原稿の登録を指定するポーリング登録指定コマンドが含まれているか否かを判断する手段と、
該手段で、前記ポーリング登録指定コマンドが含まれていると判断した場合、該ポーリング登録指定コマンドを含む印刷データに基づき生成した画像データをポーリング原稿として前記記憶手段に記憶し、前記ポーリング登録指定コマンドが含まれていないと判断した場合、印刷データに基づき生成した画像データに基づく画像を記録媒体に形成するよう制御する制御手段と
を備えることを特徴とする画像形成装置。
【発明の詳細な説明】
【技術分野】
【０００１】
本発明は、複写機、プリンタ、ファクシミリ装置等の画像形成装置に関する。特に、複写機、プリンタ、ファクシミリ装置等に対して、独自のＰＪＬ（印刷ジョブ言語）を用いて生成された画像データの記憶（登録）を可能とする画像形成装置に関する。
【背景技術】
【０００２】
通信手段の急速な進展に伴い、複写機、プリンタ、ファクシミリ装置等、又はこれらの複合機の画像形成装置として、パーソナルコンピュータのような情報処理装置とＬＡＮ、インターネット等のネットワークを介してデータを送受信することが可能に接続してあり、複数の情報処理装置により共有することが可能になっている画像形成装置が多々開発されている。斯かる画像形成装置では、情報処理装置で作成された文書データ、図面データ等に係る印刷データが画像形成装置に送信され、画像形成装置が受信した印刷データに含まれるコマンドを解析することで、画像データに基づく画像印刷用の画像形成を行う。
【０００３】
また、送信案内書であるカバーページについても、印刷データとして送受信することができ、送信元、受信先、送受信時刻等に関する情報を確認することができる。カバーページのフォーマットは、標準フォーマットとして規格化されていることが多いが、最近では、利用者の多様なニーズに対応すべく、任意のフォーマットを用いて画像形成する技術が開発されている。
【０００４】
例えば、特許文献１では、利用者が、自ら生成した送信カバーページのフォーマットを事前に登録しておき、規格化されたフォーマットのカバーページだけではなく、任意のフォーマットのカバーページを随時出力することができるファクシミリ装置が開示されている。
【０００５】
また、特許文献２では、パソコン側から送信されてきた本文データ及び識別情報を記憶しておき、同報送信時に送信先の宛先毎にカバーページデータと識別情報とを受信し、指定された識別情報に対応する本文データ及びカバーページデータを抽出して、指定された宛先に送信することができるファクシミリ送信装置が開示されている。
【特許文献１】特開平１１−３５５４８０号公報
【特許文献２】特開２００３−１８３７８号公報
【発明の開示】
【発明が解決しようとする課題】
【０００６】
しかし、特許文献１では、カバーページは、画像形成装置側で読み込んで登録しておく必要が有り、外部装置、例えば外部コンピュータから送信することにより登録することができないという問題点があった。
【０００７】
また、特許文献２では、同報送信時には、宛先ごとに異なるカバーページデータを効率よく付与することができるものの、通常のファクシミリ送信時には、受信した識別情報に対応する本文データ及びカバーページデータの組合せを抽出することができるだけであり、本文データと無関係に任意のカバーページデータを付与することはできない。したがって、利用者の操作入力により、所望のカバーページデータを選択することができないという問題点があった。
【０００８】
さらに、複合機が備える種々の機能、例えばポーリングによる画像の収集機能に対応すべく、ポーリング信号による検索対象となる画像を、ポーリング原稿として事前に登録しておくことが望ましい。
【０００９】
本発明は斯かる事情を鑑みてなされたものであり、外部から受信した印刷データに基づく画像形成を行う場合、画像データとカバーページデータとの組合せを利用者が意識することなく、所望のカバーページを付加した画像を形成することができる画像形成装置を提供することを目的とする。
【００１０】
また本発明は、外部から受信するポーリング信号の検索対象となる画像データを事前に記憶（登録）しておくことができる画像形成装置を提供することを目的とする。
【課題を解決するための手段】
【００１１】
上記目的を達成するために第１発明に係る画像形成装置は、画像データを記憶する記憶手段を備え、外部から受信した印刷データに含まれるコマンドを解析し、解析したコマンドの内容に応じて前記印刷データから画像データを生成し、生成した画像データに基づく画像を記録媒体に形成する画像形成装置において、前記印刷データに、送信に関する情報を含むカバーページの登録を指定する登録指定コマンドが含まれているか否かを判断する判断手段と、該判断手段で、前記登録指定コマンドが含まれていると判断した場合、該登録指定コマンドを含む印刷データに基づき生成した画像データをカバーページとして前記記憶手段に記憶し、前記登録指定コマンドが含まれていないと判断した場合、印刷データに基づき生成した画像データに基づく画像を記録媒体に形成するよう制御する制御手段と、ファクシミリ送信時に、カバーページの画像データを前記記憶手段から読出し送信画像に付加する付加手段とを備えることを特徴とする。
【００１２】
第１発明では、外部から受信した印刷データに登録指定コマンドが含まれている場合、登録指定コマンドを含む印刷データに基づき生成した画像データをカバーページとして記憶手段に記憶する。登録指定コマンドが含まれていない場合、印刷データに基づき生成した画像データに基づく画像を記録媒体に形成する。これにより、外部のコンピュータから送信されてきた印刷データに登録指定コマンドが含まれてるか否かに基づいて、受信した画像データをカバーページとして記憶しておくか否かを判断することができ、受信した画像データに基づくカバーページ、事前に準備してある規格化されたカバーページのいずれかを出力／送信する、あるいはカバーページを出力／送信しない等の制御を、利用者が外部のコンピュータから指示することが可能となる。
【００１３】
また、第２発明に係る画像形成装置は、第１発明において、前記印刷データは、印刷ジョブ言語を含むページ記述言語で記述されており、前記判断手段は、印刷ジョブ言語で記述されたコマンドを解析することにより、前記登録指定コマンドが含まれているか否かを判断するよう構成してあることを特徴とする。
【００１４】
第２発明では、コマンドは、印刷ジョブ言語（ＰＪＬ）を含むページ記述言語（ＰＤＬ）で記述されており、印刷ジョブ言語（ＰＪＬ）で記述されたコマンドを解析することにより、登録指定コマンドが含まれているか否かを判断する。これにより、印刷ジョブ言語（ＰＪＬ）で記述されたコマンドを解析するだけで、外部から送信されてきた印刷データに含まれている画像データをカバーページとして記憶するか否かを容易に判断することが可能となる。
【００１５】
また、第３発明に係る画像形成装置は、第１又は第２発明において、前記記憶手段にカバーページの画像データが複数記憶されている場合、前記付加手段により付加するカバーページの画像データの選択を受け付ける選択受付手段を備え、前記付加手段は、前記選択受付手段で選択されたカバーページの画像データを送信画像に付加するよう構成してあることを特徴とする。
【００１６】
第３発明では、カバーページの画像データが記憶手段に複数記憶されている場合、例えばスキャナを介して取得して記憶してあるカバーページデータを付与して画像データを送信するのか、登録指定コマンドを含む印刷データに基づき生成したカバーページを付与して画像データを送信するのかを、容易に選択することが可能となる。
【００１７】
また、第４発明に係る画像形成装置は、画像データを記憶する記憶手段を備え、外部から受信した印刷データに含まれるコマンドを解析し、解析したコマンドの内容に応じて前記印刷データから画像データを生成し、生成した画像データに基づく画像を記録媒体に形成する画像形成装置において、前記印刷データに、ポーリング原稿の登録を指定するポーリング登録指定コマンドが含まれているか否かを判断する手段と、該手段で、前記ポーリング登録指定コマンドが含まれていると判断した場合、該ポーリング登録指定コマンドを含む印刷データに基づき生成した画像データをポーリング原稿として前記記憶手段に記憶し、前記ポーリング登録指定コマンドが含まれていないと判断した場合、印刷データに基づき生成した画像データに基づく画像を記録媒体に形成するよう制御する制御手段とを備えることを特徴とする。
【００１８】
第４発明では、外部から受信した印刷データに、ポーリング原稿の登録を指定するポーリング登録指定コマンドが含まれている場合、該ポーリング登録指定コマンドを含む印刷データに基づき生成した画像データをポーリング原稿として記憶手段に記憶する。ポーリング登録指定コマンドが含まれていない場合、印刷データに基づき生成した画像データに基づく画像を記録媒体に形成する。これにより、外部のコンピュータから送信されてきた印刷データにポーリング原稿の登録を指定するポーリング登録指定コマンドが含まれているか否かに基づいて、ポーリング原稿として画像データを記憶するか否かを判断することができる。したがって、ポーリング原稿を印刷出力してから再度読取る必要が無く、ポーリング原稿の登録工程の短縮を図ることができ、スキャン回数を減じることによるポーリング原稿に係る画像の画質の劣化を防止することが可能となる。
【発明の効果】
【００１９】
第１発明では、外部のコンピュータから送信されてきた印刷データに登録指定コマンドが含まれてるか否かに基づいて、受信した画像データをカバーページとして記憶しておくか否かを判断することができ、受信した画像データに基づくカバーページ、事前に準備してある規格化されたカバーページのいずれかを出力／送信する、あるいはカバーページを出力／送信しない等の制御を、利用者が外部のコンピュータから指示することが可能となる。
【００２０】
第２発明では、印刷ジョブ言語（ＰＪＬ）で記述されたコマンドを解析するだけで、外部から送信されてきた印刷データに含まれている画像データをカバーページとして記憶するか否かを容易に判断することが可能となる。
【００２１】
第３発明では、カバーページの画像データが記憶手段に複数記憶されている場合、例えばスキャナを介して取得して記憶してあるカバーページデータを付与して画像データを送信するのか、登録指定コマンドを含む印刷データに基づき生成したカバーページを付与して画像データを送信するのかを、容易に選択することが可能となる。
【００２２】
第４発明では、外部のコンピュータから送信されてきた印刷データにポーリング原稿の登録を指定するポーリング登録指定コマンドが含まれているか否かに基づいて、ポーリング原稿として画像データを記憶するか否かを判断することができる。したがって、ポーリング原稿を印刷出力してから再度読取る必要が無く、ポーリング原稿の登録工程の短縮を図ることができ、スキャン回数を減じることによるポーリング原稿に係る画像の画質の劣化を防止することが可能となる。
【発明を実施するための最良の形態】
【００２３】
図１は、本発明の実施の形態に係る画像形成装置の構成例を示すブロック図である。本実施の形態に係る画像形成装置１００は、ＬＡＮ、インターネット等の通信ネットワークＮに接続してあるＮＩＣ（Network Interface Control）部２、通信ネットワークＮを介して受信した印刷データを、画像形成を行う画像データ（ラスターデータ）へ変換するＰＣＬ（Printer Control Language）コントローラ３、ＰＣＬコントローラ３が生成した画像データに基づく画像形成処理を行うプリンタ部４、及びＮＩＣ部２と、ＰＣＬコントローラ３と、プリンタ部４とに接続してある本体部１を備える。
【００２４】
ＮＩＣ部２は、通信ネットワークＮとデータを送受信することが可能に接続してあるネットワークインタフェース２０と、本体部１とデータを送受信することが可能に接続してある本体部接続インタフェース２１とを備えている。ＮＩＣ部２は、通信ネットワークＮに接続してある複数のコンピュータ５、５、・・・で作成された文書データ、図面データ等に基づく印刷データを本体部接続インタフェース２１から本体部１へ転送する。
【００２５】
本体部１は、ＣＰＵ、ＭＰＵ等により構成する制御部１０、ＲＯＭ１１、ＲＡＭ１２、ＮＩＣ部２と接続するためのＮＩＣインタフェース１３、ＰＣＬコントローラ３と接続するためのＰＣＬインタフェース１４、メモリ制御部１５、画像メモリ１６、プリンタ部４と接続するためのプリンタ接続部１７等を備えており、それぞれが内部バス１８を介して互いに接続されている。
【００２６】
制御部１０は、内部バス１８を介して接続される本体部１の上述したようなハードウェア各部を制御すると共に、ＲＯＭ１１に格納された種々の制御プログラムに従ってソフトウェア的機能を実行する。ＲＡＭ１２は、ＳＲＡＭ、フラッシュメモリ等で構成してあり、制御部１０による制御プログラムの実行時に発生するデータを一時記憶する。
【００２７】
本体部１は、ＮＩＣインタフェース１３から取得した印刷データを、ＰＣＬインタフェース１４を介してＰＣＬコントローラ３へ転送する。ＰＣＬコントローラ３は、本体部１から取得した印刷データを、プリンタ部４で画像を形成することができるフォーマットの画像データ（ラスターデータ）に変換するレンダリング処理を行い本体部１へ戻す。したがって、本体部１は、ＰＣＬインタフェース１４を介してＰＣＬコントローラ３から取得した画像データを、メモリ制御部１５により画像メモリ１６に蓄積する。その後、制御部１０は、所定のタイミングで画像メモリ１６から画像データを読出し、プリンタ接続部１７を介してプリンタ部４へ画像データを転送する。
【００２８】
プリンタ部４は、本体部１と接続するための本体接続部４０、プリンタ制御部４１、ページメモリ４２、画像形成部４３等を備えており、それぞれ内部バス４４を介してデータを送受信することが可能に接続してある。プリンタ制御部４１は、本体部１から送信された画像データを、まずページメモリ４２にページ単位で記憶し、記憶した画像データに基づいた画像を画像形成部４３により用紙へ画像出力する。なお、画像形成部４３は、電子写真方式、インクジェット式、熱転写方式、昇華方式等、どのような形式のプリンタ装置であっても良い。
【００２９】
ＰＣＬコントローラ３は、ＣＰＵ、ＭＰＵ等により構成する制御部３０、ＲＯＭ３１、ＲＡＭ３２、本体部１と接続するための本体接続インタフェース３３、スプーラ３４等を備えており、それぞれ内部バス３５を介してデータを送受信することが可能に接続してある。
【００３０】
制御部３０は、内部バス３５を介して接続してあるＰＣＬコントローラ３の上述したようなハードウェア各部を制御すると共に、ＲＯＭ３１に格納された種々の制御プログラムに従ってソフトウェア的機能を実行する。ＲＡＭ３２は、ＳＲＡＭ、フラッシュメモリ等で構成してあり、制御部３０による制御プログラムの実行時に発生するデータを一時的に記憶する。なお、ＲＯＭ３１には、通信ネットワークＮを介して外部のコンピュータ５、５、・・・から受信した印刷データを展開して、印刷データに含まれているコマンドを解析するコマンド解析プログラムが格納してある。
【００３１】
制御部３０は、本体接続インタフェース３３を介して本体部１から印刷データを取得し、スプーラ３４に蓄積する。また制御部３０は、ＲＯＭ３１に記憶してあるコマンド解析プログラムをＲＡＭ３２に読み出して実行し、スプーラ３４から順次読み出した印刷データについてコマンド解析処理を行い、画像データを生成する。生成された画像データは、順次本体接続インタフェース３３から本体部１へ入力され、メモリ制御部１５により画像メモリ１６に記憶される。
【００３２】
コンピュータ５、５、・・・は、通信ネットワークＮを介して印刷データを送信する場合、画像形成装置１００独自のＰＪＬ（印刷ジョブ言語）を含むＰＤＬ（ページ記述言語）を印刷データに含めて送信する。送信案内書等のカバーページを付加する場合、利用者はコンピュータ５、５、・・・上でカバーページを作成し、例えばプリンタドライバの設定画面においてカバーページの登録ジョブを選択する。カバーページの登録ジョブが選択された場合、コンピュータ５、５、・・・は、カバーページを登録する旨を示す登録指定コマンドをＰＪＬに追加し、カバーページデータ及び登録指定コマンドを含むＰＤＬを、印刷データの一部として画像形成装置１００へ送信する。
【００３３】
画像形成装置１００は、通信ネットワークＮを介してＮＩＣ部２で印刷データを受信し、本体部１のＮＩＣインタフェース１３及びＰＣＬインタフェース１４を介して、ＰＣＬコントローラ３へ送出する。ＰＣＬコントローラ３は、本体接続インタフェース３３を介して印刷データを受信し、ＲＯＭ３１に格納してある制御プログラムを実行する。
【００３４】
以下、上述した構成の画像形成装置１００のＰＣＬコントローラ３の動作について説明する。図２は、本発明の実施の形態に係る画像形成装置１００でのＰＣＬコントローラ３によるカバーページを含む印刷データの処理手順を示すフローチャートである。以下の図２に示す処理は、ＰＣＬコントローラ３の制御部３０が、ＲＯＭ３１に格納してある制御プログラムに従って実行する。
【００３５】
通信ネットワークＮに接続してある外部のコンピュータ５、５、・・・からＮＩＣ部２を介して受信した印刷ジョブを、本体部１を経由してＰＣＬコントローラ３のスプーラ３４に記憶する。ＰＣＬコントローラ３の制御部３０は、カバーページ登録フラグをオフ状態に設定した状態で（ステップＳ２０１）、スプーラ３４に印刷ジョブがあるか否かを判断し（ステップＳ２０２）、制御部３０が、スプーラ３４に印刷ジョブが無いと判断した場合（ステップＳ２０２：ＮＯ）、待機する。
【００３６】
制御部３０が、スプーラ３４に印刷ジョブが有ると判断した場合（ステップＳ２０２：ＹＥＳ）、ＲＯＭ３１に記憶してあるコマンド解析プログラムをＲＡＭ３２に読み出して実行することにより、スプーラ３４から順次読み出した印刷ジョブにコマンド解析処理を実行する（ステップＳ２０３）。
【００３７】
制御部３０は、解析したコマンドに、カバーページ（送信案内書）を登録する旨を示す登録指定コマンドが含まれているか否かを判断し（ステップＳ２０４）、制御部３０が、解析したコマンドに、登録指定コマンドが含まれていると判断した場合（ステップＳ２０４：ＹＥＳ）、制御部３０は、カバーページ登録フラグをオン状態に設定し（ステップＳ２０５）、本体部１に対して、カバーページ登録フラグがオン状態である旨を通知する（ステップＳ２０６）。
【００３８】
制御部３０が、解析したコマンドに、登録指定コマンドが含まれていないと判断した場合（ステップＳ２０４：ＮＯ）、制御部３０は、受信した印刷データに基づいてレンダリング処理し（ステップＳ２０７）、画像データ（ラスターデータ）を生成する。
【００３９】
制御部３０は、１ページ分の印刷ジョブに対するレンダリング処理が終了したか否かを判断し（ステップＳ２０８）、制御部３０が、１ページ分の印刷ジョブに対するレンダリング処理が終了していないと判断した場合（ステップＳ２０８：ＮＯ）、制御部３０はステップＳ２０２へ処理を戻し、スプーラ３４に印刷ジョブがあるか否かを判断する（ステップＳ２０２）。
【００４０】
制御部３０が、１ページ分の印刷ジョブに対するレンダリング処理が終了したと判断した場合（ステップＳ２０８：ＹＥＳ）、制御部３０は、生成した画像データを本体部１へ転送し（ステップＳ２０９）、本体部１の画像メモリ１６に蓄積する。
【００４１】
制御部３０は、１つの印刷ジョブに対するレンダリング処理が終了したか否かを判断し（ステップＳ２１０）、制御部３０が、終了していないと判断した場合（ステップＳ２１０：ＮＯ）、制御部３０は、ステップＳ２０２へ処理を戻し、ステップＳ２０２〜ステップＳ２０９の処理を繰り返す。制御部３０が、終了したと判断した場合（ステップＳ２１０：ＹＥＳ）、上述した処理を終了する。
【００４２】
以上のように本実施の形態によれば、外部のコンピュータ５、５、・・・から送信されてきた印刷データに登録指定コマンドが含まれてるか否かに基づいて、受信した画像データをカバーページとして記憶しておくか否かを判断することができ、受信した画像データに基づくカバーページ、事前に準備してある規格化されたカバーページのいずれかを出力／送信する、あるいはカバーページを出力／送信しない等の制御を、利用者が外部のコンピュータ５、５、・・・から指示することが可能となる。
【００４３】
また、カバーページの画像データが記憶手段に複数記憶されている場合、例えばスキャナを介して取得して記憶してあるカバーページデータを付与して画像データを送信するのか、登録指定コマンドを含む印刷データに基づき生成したカバーページを付与して画像データを送信するのかを、容易に選択することが可能となる。
【００４４】
以上のような印刷データに所定のコマンドが含まれているか否かを解析し、その解析結果に応じて行う画像データの登録処理は、ポーリング原稿を登録する場合にも適用することが可能である。図３は、本発明の実施の形態に係る画像形成装置でのＰＣＬコントローラ３によるポーリング原稿の登録処理の手順を示すフローチャートである。
【００４５】
図３において、通信ネットワークＮに接続してある外部のコンピュータ５、５、・・・からＮＩＣ部２を介して受信した印刷ジョブを、本体部１を経由してＰＣＬコントローラ３のスプーラ３４に記憶する。ＰＣＬコントローラ３の制御部３０は、ポーリング時の検索対象となるデータであることを示すポーリング対象フラグをオフ状態に設定した状態で（ステップＳ３０１）、スプーラ３４に印刷ジョブがあるか否かを判断し（ステップＳ３０２）、制御部３０が、スプーラ３４に印刷ジョブが無いと判断した場合（ステップＳ３０２：ＮＯ）、待機する。
【００４６】
制御部３０が、スプーラ３４に印刷ジョブが有ると判断した場合（ステップＳ３０２：ＹＥＳ）、ＲＯＭ３１に記憶してあるコマンド解析プログラムをＲＡＭ３２に読み出して実行することにより、スプーラ３４から順次読み出した印刷ジョブにコマンド解析処理を実行する（ステップＳ３０３）。
【００４７】
制御部３０は、解析したコマンドに、解析したコマンドに、ポーリング対象となる旨を示すポーリング登録指定コマンドが含まれているか否かを判断し（ステップＳ３０４）、制御部３０が、解析したコマンドに、ポーリング登録指定コマンドが含まれていると判断した場合（ステップＳ３０４：ＹＥＳ）、制御部３０は、ポーリング対象フラグをオン状態に設定し（ステップＳ３０５）、本体部１に対して、ポーリング対象フラグをオン状態である旨を通知する（ステップＳ３０６）。
【００４８】
制御部３０が、解析したコマンドに、ポーリング登録指定コマンドが含まれていないと判断した場合（ステップＳ３０４：ＮＯ）、制御部３０は、受信した印刷データに基づいてレンダリング処理し（ステップＳ３０７）、画像データ（ラスターデータ）を生成する。
【００４９】
制御部３０は、１ページ分の印刷ジョブに対するレンダリング処理が終了したか否かを判断し（ステップＳ３０８）、制御部３０が、１ページ分の印刷ジョブに対するレンダリング処理が終了していないと判断した場合（ステップＳ３０８：ＮＯ）、制御部３０はステップＳ３０２へ処理を戻し、スプーラ３４に印刷ジョブがあるか否かを判断する（ステップＳ３０２）。
【００５０】
制御部３０が、１ページ分の印刷ジョブに対するレンダリング処理が終了したと判断した場合（ステップＳ３０８：ＹＥＳ）、制御部３０は、生成した画像データを本体部１へ転送し（ステップＳ３０９）、本体部１の画像メモリ１６に蓄積する。
【００５１】
制御部３０は、１つの印刷ジョブに対するレンダリング処理が終了したか否かを判断し（ステップＳ３１０）、制御部３０が、終了していないと判断した場合（ステップＳ３１０：ＮＯ）、制御部３０は、ステップＳ３０２へ処理を戻し、ステップＳ３０２〜ステップＳ３０９の処理を繰り返す。制御部３０が、終了したと判断した場合（ステップＳ３１０：ＹＥＳ）、上述した処理を終了する。
【００５２】
このようにすることで、外部のコンピュータ５、５、・・・から送信されてきた印刷データにポーリング原稿の登録を指定するポーリング登録指定コマンドが含まれているか否かに基づいて、ポーリング原稿として画像データを記憶するか否かを判断することができる。したがって、ポーリング原稿を印刷出力してから再度読取る必要が無く、ポーリング原稿の登録工程の短縮を図ることができ、スキャン回数を減じることによるポーリング原稿に係る画像の画質の劣化を防止することが可能となる。また、ポーリング原稿を登録しておくことにより、例えばファクシミリ通信において、Ｆコードを用いたポーリング通信を実行する場合、他のファクシミリ装置からポーリング原稿として登録された画像データの中から必要な画像データを取り出すことが可能となる。
【００５３】
なお、本実施の形態に係る画像形成装置１００は、本体部１、ＰＣＬコントローラ３、プリンタ部４等が物理的に異なる形態について説明しているが、斯かる構成に限定されるものではなく、例えば本体部１とＰＣＬコントローラ３とが一体として形成されている構成であっても良い。
【００５４】
また、本実施の形態では画像形成装置１００を特に限定するものではなく、ファクシミリ装置、ディジタル複写機、プリンタ等、取得した画像データを記録する全ての画像形成装置に本発明を適用できることは言うまでもない。
【図面の簡単な説明】
【００５５】
【図１】本発明の実施の形態に係る画像形成装置の構成例を示すブロック図である。
【図２】本発明の実施の形態に係る画像形成装置でのＰＣＬコントローラによるカバーページ登録処理の手順を示すフローチャートである。
【図３】本発明の実施の形態に係る画像形成装置でのＰＣＬコントローラによるポーリング原稿の登録処理の手順を示すフローチャートである。
【符号の説明】
【００５６】
１  本体部
２  ＮＩＣ部
３  ＰＣＬコントローラ
４  プリンタ部
１０、３０  制御部
１１、３１  ＲＯＭ
１２、３２  ＲＡＭ
１６  画像メモリ
【図１】
2006148812.tif 000003
【図２】
2006148812.tif 000004
【図３】
2006148812.tif 000005